(57)【要約】【課題】  自己の性能を超えるカラー画像が入力されたことによって生じる変換処理の停止や、処理に極端に時間がかかるという事象に対し、これらの停止や事象を抑制する画像処理装置を提供することを目的とする。【解決手段】  入力される画像情報に対し、自己の性能に応じたＬａｂ変換部１０４での色変換処理が可能か否かを判定する判定部１０１と、Ｌａｂ変換部１０４での色変換処理が不可能であると判定した場合に、色変換に伴う処理量を抑制したプロファイル変換部１０５又はグレー変換部１０６の色変換処理へ変更する変更部１０３と、を有することを特徴とする。【選択図】  図１
2008205955.tif 000002
【特許請求の範囲】
【請求項１】
入力される画像情報に対し、自己の性能に応じた第１の色変換処理が可能か否かを判定する判定手段と、
前記第１の色変換処理が不可能であると判定した場合に、色変換に伴う処理量を抑制した第２の色変換処理へ変更する変更手段と、
を有することを特徴とする画像処理装置。
【請求項２】
前記判定手段は、前記画像情報にデバイスプロファイルが添付されている場合であって、当該デバイスプロファイルの所定の項目から算出された容量が自己の記憶装置の記憶容量より大きいときに、不可能であると判定する請求項１に記載の画像処理装置。
【請求項３】
前記判定手段は、前記第１の色変換処理に伴う処理時間が所定の時間より大きい場合に、不可能であると判定する請求項１に記載の画像処理装置。
【請求項４】
前記第２の色変換処理は、グレーに変換する処理であることを特徴とする請求項１から３のいずれか１項に記載の画像処理装置。
【請求項５】
前記グレーに変換する処理は、前記デバイスプロファイルを構成する色の成分の明度に応じた白黒の濃淡を生成する処理であることを特徴とする請求項４に記載の画像処理装置。
【請求項６】
前記第２の色変換処理は、デバイスプロファイルのグリッドをアドレス間隔が等間隔となるように間引く処理であることを特徴とする請求項１から３のいずれか１項に記載の画像処理装置。
【請求項７】
前記変更手段は、色変換処理の処理態様を選択させる選択手段からの指示に基づいて変更することを特徴とする請求項１から６のいずれか１項に記載の画像処理装置。
【請求項８】
入力される画像情報にデバイスプロファイルが添付されている場合に、該デバイスプロファイルから各色の最大カバレッジと白色に相当する明度成分とを抽出する抽出手段と、
前記各色の最大カバレッジと明度成分とから各色の成分割合に応じた複数の濃度を算出する算出手段と、
前記濃度を加算した加算濃度を、その濃度に応じた明度成分へ変換する変換手段と、
を有することを特徴とする画像処理装置。
【請求項９】
前記変換手段は、前記加算濃度が黒色の最大濃度を超える場合には、該加算濃度を黒色の最大濃度とすることを特徴とする請求項８に記載の画像処理装置。
【請求項１０】
コンピュータを、
入力される画像情報に対し、自己の性能に応じた第１の色変換処理が可能か否かを判定する判定手段と、
前記第１の色変換処理が不可能であると判定した場合に、色変換に伴う処理量を抑制した第２の色変換処理へ変更する変更手段として機能させることを特徴とする画像処理プログラム。
【請求項１１】
コンピュータを、
入力される画像情報にデバイスプロファイルが添付されている場合に、該デバイスプロファイルから各色の最大カバレッジと白色に相当する明度成分とを抽出する抽出手段と、
前記各色の最大カバレッジと明度成分とから各色の成分割合に応じた複数の濃度を算出する算出手段と、
前記濃度を加算した加算濃度を、その濃度に応じた明度成分へ変換する変換手段として機能させることを特徴とする画像処理プログラム。
【発明の詳細な説明】
【技術分野】
【０００１】
本発明は、画像処理装置及び画像処理プログラムに関する。
【背景技術】
【０００２】
液晶ディスプレイ等の画像表示装置、スキャナ等の画像入力装置、カラープリンタ等の画像出力装置等、各装置間での正確な色合わせを実現するためのカラーマネジメントシステムが知られている。当該技術によれば、各装置の再現できる色の範囲が異なるという原理的問題や、各装置の採用しているカラースペース（色空間）が異なることによる相互変換の複雑化のために統一的な取扱いができないという技術的問題を抑制している。
【０００３】
このようなカラーマネジメントシステムでは、装置間における正確な色合わせを実現するために、一般に、画像入力装置で入力されたカラー画像（以下、画像情報という。）を画像出力装置での色の再現範囲内のカラー画像に変換している。そして、当該変換は多次元ルックアップテーブルを利用して行われることが多く、例えば、特許文献１では、多次元ルックアップテーブルを利用して色の変換機能を向上させる発明が開示されている。
【特許文献１】特開２００２−３５４２７６号公報
【発明の開示】
【発明が解決しようとする課題】
【０００４】
本発明は、上述した画像情報の変換に関し、自己の性能を超える画像情報が入力されたことによって生じる変換処理の停止や、処理に極端に時間がかかるという事象に対し、これらの停止や事象を抑制する画像処理装置を提供することを目的とする。
【課題を解決するための手段】
【０００５】
請求項１に記載の発明は、入力される画像情報に対し、自己の性能に応じた第１の色変換処理が可能か否かを判定する判定手段と、第１の色変換処理が不可能であると判定した場合に、色変換に伴う処理量を抑制した第２の色変換処理へ変更する変更手段と、
を有することを特徴とする画像処理装置である。
【０００６】
請求項２に記載の発明は、請求項１に記載の発明において、判定手段が、画像情報にデバイスプロファイルが添付されている場合であって、当該デバイスプロファイルの所定の項目から算出された容量が自己の記憶装置の記憶容量より大きいときに、不可能であると判定することを特徴とする。
【０００７】
請求項３に記載の発明は、請求項１に記載の発明において、判定手段が、第１の色変換処理に伴う処理時間が所定の時間より大きい場合に、不可能であると判定することを特徴とする。
【０００８】
請求項４に記載の発明は、請求項１から３のいずれか１項に記載の発明において、第２の色変換処理が、グレーに変換する処理であることを特徴とする。
【０００９】
請求項５に記載の発明は、請求項４に記載の発明において、グレーに変換する処理が、デバイスプロファイルを構成する色の成分の明度に応じた白黒の濃淡を生成する処理であることを特徴とする。
【００１０】
請求項６に記載の発明は、請求項１から３のいずれか１項に記載の発明において、第２の色変換処理が、デバイスプロファイルのグリッド数をアドレス間隔が等間隔となるように間引く処理であることを特徴とする。
【００１１】
請求項７に記載の発明は、請求項１から６のいずれか１項に記載の発明において、変更手段が、色変換処理の処理態様を選択させる選択手段からの指示に基づいて変更することを特徴とする。
【００１２】
請求項８に記載の発明は、入力される画像情報にデバイスプロファイルが添付されている場合に、該デバイスプロファイルから各色の最大カバレッジと白色に相当する明度成分とを抽出する抽出手段と、各色の最大カバレッジと明度成分とから各色の成分割合に応じた複数の濃度を算出する算出手段と、濃度を加算した加算濃度を、その濃度に応じた明度成分へ変換する変換手段と、を有することを特徴とする画像処理装置である。
【００１３】
請求項９に記載の発明は、請求項８に記載の発明において、変換手段が、加算濃度が黒色の最大濃度を超える場合には、該加算濃度を黒色の最大濃度とすることを特徴としている。
【００１４】
請求項１０に記載の発明は、コンピュータを、入力される画像情報に対し、自己の性能に応じた第１の色変換処理が可能か否かを判定する判定手段と、第１の色変換処理が不可能であると判定した場合に、色変換に伴う処理量を抑制した第２の色変換処理へ変更する変更手段として機能させることを特徴とする画像処理プログラムである。
【００１５】
請求項１１に記載の発明は、コンピュータを、入力される画像情報にデバイスプロファイルが添付されている場合に、該デバイスプロファイルから各色の最大カバレッジと白色に相当する明度成分とを抽出する抽出手段と、各色の最大カバレッジと明度成分とから各色の成分割合に応じた複数の濃度を算出する算出手段と、濃度を加算した加算濃度を、その濃度に応じた明度成分へ変換する変換手段として機能させることを特徴とする画像処理プログラムである。
【発明の効果】
【００１６】
請求項１に係る発明によれば、画像情報に対する色変換処理が自己の性能を超える場合に、色変換処理の停止を抑制できる。
【００１７】
請求項２に係る発明によれば、画像情報に添付されたデバイスプロファイルの所定の項目から算出された容量によって、色変換処理の停止を抑制できる。
【００１８】
請求項３に係る発明によれば、色変換処理に伴う処理時間に応じて、色変換処理の停止を抑制できる。
【００１９】
請求項４に係る発明によれば、画像情報をグレーに変換することで、色変換処理の停止を抑制できる。
【００２０】
請求項５に係る発明によれば、デバイスプロファイルを構成する色の成分の明度に応じた白黒の濃淡を生成することで、色変換処理の停止を抑制できる。
【００２１】
請求項６に係る発明によれば、デバイスプロファイルのグリッドをアドレス間隔が等間隔となるように間引くことで、色変換処理の停止を抑制できる。
【００２２】
請求項７に係る発明によれば、色変換処理の処理態様を選択させる選択手段からの指示に基づいて、色変換処理の停止を抑制できる。
【００２３】
請求項８に係る発明によれば、各色の濃度に応じた明度を出力することができる。
【００２４】
請求項９に係る発明によれば、加算濃度が黒より濃いという不合理を解消できる。
【００２５】
請求項１０に係る発明によれば、画像情報に対する色変換処理が自己の性能を超える場合に、色変換処理の停止を抑制できる。
【００２６】
請求項１１に係る発明によれば、各色の濃度に応じた明度を出力することができる。
【発明を実施するための最良の形態】
【００２７】
以下、本発明の実施形態について、図面を参照して具体的に説明する。
図１は本発明の実施形態に係る画像処理装置１００の要部構成を示すブロック図、図２は変換前のデバイスプロファイルの一例、図３は色変換処理に関する選択画面の一例、図４は変換後のデバイスプロファイルの一例である。
【００２８】
尚、図１において説明する各機能ブロックは、ＣＰＵ（Central Processing Unit）等の処理装置、ＤＲＡＭ(Dynamic Random Access Memory)、ＳＲＡＭ（Static RAM）、ＲＯＭ(Read Only Memory)等の半導体記憶装置、ＨＤ（Hard Disc）等の磁気ディスク及び所要のソフトウェアによりそれぞれ実現される。
【００２９】
画像処理装置１００は、図１に示すように、判定部１０１、選択部１０２、変更部１０３、Ｌａｂ変換部１０４、プロファイル変換部１０５、グレー変換部１０６、ＣＭＹＫ変換部１０７等から構成されている。
【００３０】
判定部１０１は、本発明の判定手段の一例であって、入力される画像情報に対し、自己の性能に応じた色変換処理が可能か否かを判定する。より詳しくは、例えば５色以上の画像情報にデバイスプロファイルが添付されている場合に、当該デバイスプロファイルから入力色数、格子点数（以下、グリッド数という。）、出力色数を抽出し、デバイスプロファイルの容量及び出力に係る処理時間を算出する。尚、デバイスプロファイルは、各装置（デバイス）の色空間（カラースペース）からＬ＊ａ＊ｂ＊スペースへ変換する変換テーブルをいい、例えばＩＣＣ（International Color Consortium）プロファイル等がある。
【００３１】
デバイスプロファイルは、図２に示すように、アドレス（以下、入力カバレッジという。）とアドレスに対応するＬ＊ａ＊ｂ＊値とで構成される。入力カバレッジは、例えば、入力色がシアン（Cyan）、マゼンタ（Magenta）、黄（Yellow）、黒（blacK）、赤（Red）、緑（Green）及び青(Blue)の７色の色の成分が組み合わされて構成される。各入力色は０〜２５５の範囲を３２刻みで刻まれる。したがって、刻みとなるグリッド数は９点で構成される。出力色数が明度成分（Ｌ＊）、色成分（ａ＊とｂ＊）の３成分で構成される。したがって、１グリッドの１成分の容量が１バイトである場合に、当該デバイスプロファイルの容量は９７×３×１÷１０２４÷１０２４≒１３．７Ｍバイトとなる。また、処理時間は、予め入力色の数やグリッド数等、所定の項目からいくつかのデバイスプロファイルの容量を算出したものを自己の記憶装置等に保持しておき、入力色の数やグリッド数に応じた概ねの処理時間が選択されるようにしてもよい。処理時間の算出に使用される所定の項目は任意に設定するようにしてもよい。
【００３２】
判定部１０１は、算出されたデバイスプロファイルの容量と色変換処理に必要な自己の記憶装置の記憶容量とを比較する。ここで、色変換処理に必要な自己の記憶装置の記憶容量が、算出されたデバイスプロファイルの容量より大きい場合には、色変換処理の際、停止の可能性が少ないため、通常の色変換処理が行われる。一方、色変換処理に必要な自己の記憶装置の記憶容量が、算出されたデバイスプロファイルの容量以下の場合には、色変換処理の際、停止または処理に極端に時間がかかってしまう可能性があり、選択部１０２にその旨の通知を行う。例えば、色変換処理に使用可能な自己の記憶装置の記憶容量が１Ｍバイトである場合に、算出されたデバイスプロファイルの容量が上述したように１３．７Ｍバイトであるときには、停止または処理に極端に時間がかかってしまう可能性がある旨を通知する。
【００３３】
選択部１０２は、本発明の選択手段の一例であって、判定部１０１からの通知に基づいて、液晶ディスプレイやＣＲＴディスプレイ等の表示手段に、図３に示すような、色変換処理の選択に関する選択画面を表示する。当該選択画面は、例えば、原因表示欄、選択ボタン、出力時間表示欄等で構成される。
【００３４】
原因表示欄は、図３に示すように、「メモリ（記憶容量）不足」である旨や、「出力に時間がかかる」旨を、判定部１０１の判定結果に応じて表示する。選択ボタンは、図３に示すように例えばラジオボタンで構成される。利用者は希望する色変換処理を選択することにより、当該選択に応じた色変換処理が行われるように変更部１０３を制御する。例えば、「グレーで出力」をする旨が選択された場合には、画像処理装置１００は、通常の色変換処理に代えて、白黒の濃淡（グレー）で出力する機能を発揮する。出力時間表示欄は、算出された出力にかかる処理時間を表示する。したがって、利用者は当該時間に基づいて出力の中止可否を判断する。
【００３５】
変更部１０３は、本発明の変更手段の一例であって、利用者による選択画面からの選択結果に応じて、色変換に伴う処理量を抑制した他の色変換処理、例えば、プロファイル変換部１０５での色変換処理やグレー変換部１０６での色変換処理等へ変更する。尚、他の色変換処理は、色変換に伴う処理量を抑制するものであれば、これらのものに限られない。また、変更部１０３は、選択画面からの選択に限らず、例えば、マイク等から集音した音声等によって色変換処理を変更するようにしてもよい。さらに、判定部１０１の算出結果に応じて色変換処理を自動的に変更する機能を設けてもよい。
【００３６】
Ｌａｂ変換部１０４は、本発明の第１の色変換処理を行う手段の一例であって、色変換処理に必要な自己の記憶装置の記憶容量が、算出されたデバイスプロファイルの容量より大きい場合等に、通常の色変換処理を行う。ここで、通常の色変換処理とは、画像処理装置１００に入力される画像情報に色変換処理を行うに際し、色変換に伴う処理量を抑制しない色変換処理をいい、例えば、５色以上の成分で構成される画像情報に対し、デバイスプロファイルに応じたＬ＊ａ＊ｂ＊表色系の画像情報に変換する。変換された画像情報は、ＣＭＹＫ変換部１０７へ送信される。
【００３７】
プロファイル変換部１０５は、本発明の第２の色変換処理を行う手段の一例であって、色変換処理に必要な自己の記憶装置の記憶容量が、算出されたデバイスプロファイルの容量以下の場合等に、デバイスプロファイルのグリッドをアドレス間隔が等間隔となるように間引く処理を行う。具体的には、上述したように図２に示すデバイスプロファイルでは刻みとなるグリッド数が９点であったのに対し、グリッド数を５点にする処理を行う。すなわち、グリッドは上述したような３２刻みから例えば図４のアドレスのＮｏ．１〜３に示すように等間隔に６４刻みとなり、デバイスプロファイルのグリッドはアドレス間隔が等間隔となって間引かれたこととなる。変換後のデバイスプロファイルが添付された画像情報は、Ｌａｂ変換部１０４に送信され、通常の色変換処理が行われる。この結果、１グリッドの１色分の容量が１バイトである場合に、デバイスプロファイルの容量は５７×３×１÷１０２４÷１０２４≒０．２２Ｍバイトとなり、間引く処理を行わなかった１３．７Ｍバイトに対し色変換処理に伴う処理量が抑制される。したがって、例えば、色変換処理に使用可能な自己の記憶装置の記憶容量が１Ｍバイトである場合に、算出されたデバイスプロファイルの容量が上述したように０．２２Ｍバイトであれば、停止の可能性が抑制される。
【００３８】
グレー変換部１０６も、本発明の第２の色変換処理を行う手段の一例であって、抽出手段、算出手段、変換手段等から構成され、色変換処理に必要な自己の記憶装置の記憶容量が、算出されたデバイスプロファイルの容量以下の場合等に、グレーに変換する処理（以下、グレー変換処理という。）を行う。グレー変換処理とは、カラー画像として出力すべき画像情報に対し、当該カラー（色）の明度に応じた白黒の濃度又は濃淡を算出・生成する処理をいう。グレー変換処理された画像情報は、ＣＭＹＫ変換部１０７へ送信される。尚、グレー変換処理の詳細については後述する。
【００３９】
ＣＭＹＫ変換部１０７は、Ｌ＊ａ＊ｂ＊表色系で表された画像情報を、ＣＭＹＫ色で表される画像情報に変換する。当該変換は多次元ルックアップテーブル等を利用して、公知の技術により可能である。変換された画像情報は、画像情報を画像として出力する出力機構等に送信される。
【００４０】
ここで上述したグレー変換処理について図５から図９を参照して詳細に説明する。
図５はグレー変換処理の一例を示すフローチャート、図６は明度と濃度の変換を行う計算式、図７は入力カバレッジと濃度との関係を示すグラフ、図８は各入力色の濃度を算出する計算式、図９は濃度の算出結果を表すカバレッジと濃度との関係を示すグラフである。
【００４１】
グレー変換部１０６は、図５に示すように、まず、デバイスプロファイルから各色の最大カバレッジのＬ＊データ（明度成分）及び白色のＬ＊データを抽出する（ステップＳ１）。なお、各色及び白色の明度成分は、Ｌ＊ａ＊ｂ＊データであってもよい。ここで、最大カバレッジとは、図２又は図４に示す各入力色において、入力カバレッジが２５５となるものをいい、各色ごとに最大カバレッジが存在する。したがって、ステップＳ１の処理では、白色及び各色の最も濃い色における明るさを抽出するものである。
【００４２】
グレー変換部１０６は、次いで、抽出した白色及び各入力色のＬ＊データを、それぞれの色に対応する濃度データへ変換する（ステップＳ２）。濃度変換は、図６に示すように、まず、抽出結果となるＬ＊データ及び完全拡散反射面の三刺激値Ｙｎに基づいて、算出式（１）により、三刺激値（ＸＹＺ）の視感反射率Ｙを算出することで行われる。なお、本実施形態ではＹｎ＝１００としている。続いて、算出結果となる視感反射率Ｙに基づいて、算出式（２）により、濃度Ｄを算出することで行われる。これにより、白色の濃度データ及び各色の最大カバレッジにおける濃度データが算出されることとなり、図７に示すようなグラフによって表される。図７においては、最大カバレッジを１００％で示しており、白色濃度をＤＷｈｉｔｅ、各色の濃度をＤｍａｘα（αは黒を示すＫや青を示すＢ）で示している。
【００４３】
グレー変換部１０６は、次いで、各色の最大カバレッジにおける濃度データ（ＤｍａｘＫ等）と、白色の濃度データ（ＤＷｈｉｔｅ）とから、入力される画像情報の各色の濃度を補完して算出する（ステップＳ３）。例えば、入力される画像情報の赤の成分が６０％、マゼンタの成分が５０％、青の成分が２０％である場合には、赤色の濃度ＤＲ６０は、図８に示す（１）の式で表される。同様に、マゼンタ色の濃度ＤＭ５０は、図８に示す（２）の式で表され、青色の濃度ＤＢ２０は、図８に示す（３）の式で表される。これにより、図９に示すように、各入力色のカバレッジ０％の濃度ＤＲ６０、ＤＭ５０、ＤＢ２０が表される。
【００４４】
グレー変換部１０６は、次いで、算出した入力画像の各濃度データを加算する（ステップＳ４）。例えば、上述したように赤色、マゼンタ色及び青色の濃度データＤＲ６０、ＤＭ５０、ＤＢ２０が算出された場合には、これらの濃度データを加算し加算濃度データＤＯＵＴする。ここで、グレー変換部１０６は、加算濃度データＤＯＵＴが最大カバレッジにおける黒色の濃度ＤｍａｘＫより大きいか否かを判定する（ステップＳ５）。すなわち、加算濃度データＤＯＵＴは、白と黒の濃淡で表されるため、加算濃度データＤＯＵＴが濃度ＤｍａｘＫより大きいと判定した場合には、黒より濃いという不合理を生じるため、これを解消すべく、当該加算濃度データＤＯＵＴを濃度ＤｍａｘＫに置換するものである（ステップＳ６）。なお、加算濃度データＤＯＵＴが最大カバレッジにおける黒色の濃度ＤｍａｘＫ以下である場合には、ステップＳ６の処理を行わない。グレー変換部１０６は、次いで、加算濃度データＤＯＵＴを明度成分Ｌ＊へ変換し、グレー変換処理を終了する（ステップＳ７）。このように、例えば５色以上の成分で構成される画像情報が、各入力色の明るさの度合いに応じてグレー変換されることとなる。
【００４５】
続いて、画像処理装置１００の動作について図１０を参照して説明する。
図１０は画像処理装置１００における動作の一例を示すフローチャートである。
画像処理装置１００は、まず、画像情報にデバイスプロファイルが添付されている場合に、当該デバイスプロファイルの入力色の数、グリッド数、出力色数等から、デバイスプロファイルの容量及び出力に係る処理時間を算出する（ステップＳ１１）。
【００４６】
ここで、画像処理装置１００は、算出されたデバイスプロファイルの容量が自己の記憶装置の記憶容量を超えるか否かを判定する（ステップＳ１２）。画像処理装置１００は、算出されたデバイスプロファイルの容量が自己の記憶装置の記憶容量以下であると判定した場合には、次いで、算出された処理時間が所定の処理時間を超えるか否かを判定する（ステップＳ１３）。
【００４７】
画像処理装置１００は、算出された処理時間が所定の時間以下であると判定した場合には、通常の色変換処理を行い（ステップＳ１４）、次いで、Ｌ＊ａ＊ｂ＊表色系の画像情報をＣＭＹＫ色の画像情報とする変換処理を行い（ステップＳ１５）、処理を終了する。一方で、ステップＳ１２又はステップＳ１３の処理において、画像処理装置１００が、算出されたデバイスプロファイルの容量が自己の記憶装置の記憶容量を超えていると判定したり、算出された処理時間が所定の処理時間を超えていると判定したりした場合には、利用者からの選択結果に応じた色変換処理を行い（ステップＳ１６）、ステップＳ１５の処理を行う。
【００４８】
尚、本発明は、上述した実施形態に限定されるものではなく、その要旨を逸脱しない範囲内で種々変形して実施することが可能である。例えば、本発明のプログラムを通信手段により提供することはもちろん、ＣＤ−ＲＯＭ等の記録媒体に格納して提供することも可能である。また、Ｃ、Ｍ、Ｙ、Ｋ、Ｒ、Ｇ、Ｂの入力カバレッジの範囲を０〜２５５で表したが、２５６に対する出力値が定義可能であれば２５６であってもよい。また、本実施形態では、画像処理装置の自己の記憶装置としたが、画像処理装置の内部に保持されるだけに限られず、画像処理装置の外部に記憶装置があってもよい。また、本実施形態では、自己の性能として記憶装置の記憶容量や処理時間を用いて説明したが、例えば、クロック周波数、ＭＩＰＳ（Million Instructions Per Second：１秒間に実行できる命令数を百万単位で表した指標）や、ＦＬＯＰＳ(Floating Point operations Per Second：１秒間に実行できる浮動小数点演算数で表した指標)等に基づいて色変換処理を変換するようにしてもよい。
【産業上の利用可能性】
【００４９】
以上説明したように、本発明によれば、色変換処理に関する自己の性能を超えるカラー画像に対し、色変換処理の停止を抑制でき、産業上の利用可能性が高い。
【図面の簡単な説明】
【００５０】
【図１】画像処理装置の要部構成を示す機能ブロック図である。
【図２】変換前のデバイスプロファイルの一例である。
【図３】色変換処理に関する選択画面の一例である。
【図４】変換後のデバイスプロファイルの一例である。
【図５】画像処理装置におけるグレー変換処理の一例を示すフローチャートである。
【図６】明度と濃度の変換する計算式である。
【図７】カバレッジと濃度との関係を示すグラフである。
【図８】各入力色の濃度を算出する計算式である。
【図９】濃度の算出結果を表すカバレッジと濃度との関係を示すグラフである。
【図１０】画像処理装置における動作の一例を示すフローチャートである。
【符号の説明】
【００５１】
１００  画像処理装置
１０１  判定部
１０２  選択部
１０３  変更部
１０４  Ｌａｂ変換部
１０５  プロファイル変換部
１０６  グレー変換部
１０７  ＣＭＹＫ変換部
【図１】
2008205955.tif 000003
【図２】
2008205955.tif 000004
【図３】
2008205955.tif 000005
【図４】
2008205955.tif 000006
【図５】
2008205955.tif 000007
【図６】
2008205955.tif 000008
【図７】
2008205955.tif 000009
【図８】
2008205955.tif 000010
【図９】
2008205955.tif 000011
【図１０】
2008205955.tif 000012